(57)【要約】【課題】  ブラケットのガタツキがなく、また、バッテリーターミナル本体の製造性がよく、さらには、バッテリーポストへの取り付けが確実となるバッテリーターミナルを提供する。【解決手段】  バッテリーターミナル２１の締め付け手段２３を構成するブラケットを一対の締め付け部２５、２５の上方から取り付ける上ブラケット３４と下方から取り付ける下ブラケット３５とを備えて構成する。上ブラケット３４には、一対の締め付け部２５、２５の上端４１に接触して摺接するテーパ３９を形成するとともに、下ブラケット３５にも一対の締め付け部２５、２５の下端４７に接触して摺接するテーパ４５を形成する。その他、上ブラケット３４と下ブラケット３５のいずれか一方の一部を他方に差し込むような形状に形成する。【選択図】    図２
2005302505.tif 000002
【特許請求の範囲】
【請求項１】
所定の間隔をあけて対向し近づく方向に移動させるとバッテリーポスト挿入穴の径を縮径させる一対の締め付け部を有するバッテリーターミナル本体と、
前記一対の締め付け部の間に配置するボルト、該ボルトに取り付けるナット、前記ボルトと前記ナットの締め付けに伴い前記一対の締め付け部を前記近づく方向に移動させるブラケットを有する締め付け手段と、
を備えるバッテリーターミナルであって、
前記ブラケットを前記一対の締め付け部の上方から取り付ける上ブラケットと下方から取り付ける下ブラケットとを備えて構成し、且つ、
前記上ブラケットに前記一対の締め付け部の上端に接触して摺接するテーパを形成するとともに、前記下ブラケットにも前記一対の締め付け部の下端に接触して摺接するテーパを形成し、且つ、
前記上ブラケットと前記下ブラケットのいずれか一方の一部を他方に差し込むように形成する
ことを特徴とするバッテリーターミナル。
【請求項２】
請求項１に記載のバッテリーターミナルにおいて、
前記上ブラケットの前記テーパの傾斜角度と前記下ブラケットの前記テーパの傾斜角度とを異なる角度にする
ことを特徴とするバッテリーターミナル。
【請求項３】
請求項１又は請求項２に記載のバッテリーターミナルにおいて、
前記一対の締め付け部の突出方向先端部に片状のストッパを形成する
ことを特徴とするバッテリーターミナル。
【発明の詳細な説明】
【技術分野】
【０００１】
本発明は、バッテリーターミナル本体と締め付け手段とを備えて構成される上締め式のバッテリーターミナルに関する。
【背景技術】
【０００２】
上締め式のバッテリーターミナルとしては、例えば下記特許文献１に開示されたものが知られている。図６及び図７において、下記特許文献１に開示された上締め式のバッテリーターミナル１は、バッテリーターミナル本体２と締め付け手段３とを備えて構成されている。バッテリーターミナル本体２は、バッテリーポスト挿入穴４と一対の締め付け部５、５とを有しており、締め付け手段３は、ボルト６とナット７とブラケット８とを備えて構成されている。バッテリーターミナル１は、締め付け手段３の作用により締め付け部５、５が互いに近づく方向に移動させられると、図示しないバッテリーポストに巻着する構造になっている。
【０００３】
締め付け部５、５の先端下方には、ナット７を固定するためのナット装着部９が形成されている。ナット装着部９の先端側及び上部側には、ナット７の脱落を規制する脱落規制部１０、１１が折り曲げ形成されている。締め付け部５、５の各外壁１２は、図示の如く傾斜するように形成されている。各外壁１２には、ブラケット８の後述する凸部１３が差し込まれる凹部１４が形成されている。
【０００４】
ブラケット８には、ボルト挿通孔を有する天井板部１５が形成されている。ボルト挿通孔には、ボルト６が挿通されるようになっており、ナット装着部９に固定されたナット７が螺合するようになっている。天井板部１５の四隅には、締め付け脚片１６がそれぞれ形成されている。締め付け脚片１６は、天井板部１５から垂下するような形状に形成されている。また、締め付け脚片１６は、締め付け部５に接触して摺接するテーパ１７を有するように形成されている。テーパ１７には、上記凹部１４に差し込まれる凸部１３が形成されている。
【特許文献１】特開２００３−１５１６５１号公報  （第４−５頁、第２１−２２図）
【発明の開示】
【発明が解決しようとする課題】
【０００５】
ところで、上記従来技術にあっては、図示しないバッテリーポストへの取り付けの際に、ブラケット８がガタついてしまわない工夫として、締め付け部５、５が複雑な形状に形成されている。従って、その形状故にバッテリーターミナル本体２の製造性が悪いという問題点を有している。
【０００６】
また、上記従来技術にあっては、締め付け手段３の作用により締め付け部５、５が互いに近づく方向に移動する構造になっている。その移動は主に締め付け部５、５の上部側で行われるものであることから、図示しないバッテリーポストへの取り付けが必ずしも十分な状態でないという問題点を有している（バッテリーポスト挿入穴４の全体でなく上部側のみがバッテリーポストに巻着する）。
【０００７】
本発明は、上述した事情に鑑みてなされたもので、ブラケットのガタツキがなく、また、バッテリーターミナル本体の製造性がよく、さらには、バッテリーポストへの取り付けが確実となるバッテリーターミナルを提供することを課題とする。
【課題を解決するための手段】
【０００８】
上記課題を解決するためになされた請求項１記載の本発明のバッテリーターミナルは、所定の間隔をあけて対向し近づく方向に移動させるとバッテリーポスト挿入穴の径を縮径させる一対の締め付け部を有するバッテリーターミナル本体と、前記一対の締め付け部の間に配置するボルト、該ボルトに取り付けるナット、前記ボルトと前記ナットの締め付けに伴い前記一対の締め付け部を前記近づく方向に移動させるブラケットを有する締め付け手段と、を備えるバッテリーターミナルであって、前記ブラケットを前記一対の締め付け部の上方から取り付ける上ブラケットと下方から取り付ける下ブラケットとを備えて構成し、且つ、前記上ブラケットに前記一対の締め付け部の上端に接触して摺接するテーパを形成するとともに、前記下ブラケットにも前記一対の締め付け部の下端に接触して摺接するテーパを形成し、且つ、前記上ブラケットと前記下ブラケットのいずれか一方の一部を他方に差し込むように形成することを特徴としている。
【０００９】
このような特徴を有する本発明によれば、一対の締め付け部の上方から上ブラケットが取り付けられる。また、下方から下ブラケットが取り付けられる。この時、上ブラケットと下ブラケットのいずれか一方の一部が他方に差し込まれる。ボルト及びナットによる締め付けを開始すると、上ブラケットと下ブラケットとが近づく方向、すなわち上下方向に移動する。そして、これに伴って、上ブラケットのテーパと下ブラケットのテーパとがそれぞれ一対の締め付け部の上端、下端に接触して摺接する。一対の締め付け部は、互いに近づく方向、すなわち左右方向に移動する。一対の締め付け部が移動するにつれ、バッテリーポスト挿入穴の径が縮径し、バッテリーターミナルはバッテリーポストに巻着する。バッテリーポスト挿入穴は、広い範囲を使ってバッテリーポストに面接触しながら巻着する。
【００１０】
請求項２記載の本発明のバッテリーターミナルは、請求項１に記載のバッテリーターミナルにおいて、前記上ブラケットの前記テーパの傾斜角度と前記下ブラケットの前記テーパの傾斜角度とを異なる角度にすることを特徴としている。
【００１１】
このような特徴を有する本発明によれば、例えば、先ずバッテリーポスト挿入穴の上端側の径を素早く締め付け、次いで下端側の径を締め付けるような二段階の締め付けを行うことが可能になる。
【００１２】
請求項３記載の本発明のバッテリーターミナルは、請求項１又は請求項２に記載のバッテリーターミナルにおいて、前記一対の締め付け部の突出方向先端部に片状のストッパを形成することを特徴としている。
【００１３】
このような特徴を有する本発明によれば、上ブラケット及び下ブラケットが所定位置に取り付けられる。また、ボルト及びナットによる締め付け開始前後の上ブラケット及び下ブラケットの回り止めなどがなされる。
【発明の効果】
【００１４】
請求項１に記載された本発明によれば、ブラケットのガタツキを極力抑えることができるという効果を奏する。また、上ブラケット及び下ブラケットを有する締め付け手段を用いることから、バッテリーターミナル本体の形状を簡素化してその製造性を従来よりもよくすることができるという効果を奏する。さらに、バッテリーポストへの確実な取り付けを実現することができるという効果を奏する。
【００１５】
請求項２に記載された本発明によれば、バッテリーポストへの取り付けをより一層確実にすることができるという効果を奏する。
【００１６】
請求項３に記載された本発明によれば、ガタツキを抑えつつ作業性の向上を図ることができるという効果を奏する。
【発明を実施するための最良の形態】
【００１７】
以下、図面を参照しながら説明する。
図１は本発明のバッテリーターミナルの一実施の形態を示す斜視図である。また、図２は図１のバッテリーターミナルの分解斜視図、図３は図１のバッテリーターミナルの側面図、図４は図１の締め付け手段の正面図、図５はバッテリーターミナル本体の他の例を示す斜視図である。
【００１８】
図１ないし図３において、引用符号２１は先端の直径が基端の直径よりも小さいテーパ状の周側面を有する既知のバッテリーポスト（図示省略）に対して巻着する本発明のバッテリーターミナルを示している。その本発明のバッテリーターミナル２１は、バッテリーターミナル本体２２と、複数の構成部材からなる締め付け手段２３とを備えて構成されている。以下、各構成部材について説明する。
【００１９】
バッテリーターミナル本体２２は、導電性を有する金属板をプレス加工することにより製造されている。また、バッテリーターミナル本体２２は、環状部２４と一対の締め付け部２５、２５と電線接続部２６とを有して図示のような形状に形成されている（形状は一例であるものとする。また、図示のタイプに限らず図５のようなタイプのものでもよいものとする）。
【００２０】
環状部２４は、その展開形状が、湾曲する帯板状に形成されている（長辺が湾曲する帯板）。また、環状部２４は、短辺となる帯板端部が所定の間隔をあけて互いに対向するように丸められた状態に形成されている。環状部２４の内部には、上記バッテリーポスト（図示省略）の周側面に対して面接触するバッテリーポスト挿入穴２７が形成されている。バッテリーポスト挿入穴２７は、本明細書において上下方向に貫通形成されている。
【００２１】
締め付け部２５、２５は、長辺が真っ直ぐで一方の短辺が上記帯板端部に連成される帯板状に形成されている。また、締め付け部２５、２５は、所定の間隔をあけて互いに対向するように配置されている。締め付け部２５、２５のサイズは、上記バッテリーポスト（図示省略）周辺のスペースに応じて、また、締め付け手段２３の大きさに応じて設定されている。このような締め付け部２５、２５の他方の短辺、すなわち締め付け部２５、２５の自由端部には、外側に突出する片状のストッパ２８、２８が連成されている。締め付け部２５、２５やストッパ２８、２８は、折り曲げにより形成されている。締め付け部２５、２５は、本明細書において環状部２４の前方に突出するように形成されている。また、ストッパ２８、２８は、左右方向に突出するように形成されている。
【００２２】
電線接続部２６は、環状部２４の上記長辺中間に連成される上接合板２９及び下接合板３０とを図示のように折り曲げ且つ重ね合わせることにより形成されている。電線接続部２６は、本明細書において環状部２４の後方に突出するように形成されている。電線接続部２６には、図示しない電線付きターミナルが電気的に接続されるようになっている。上接合板２９及び下接合板３０には、図示しない電線付きターミナルを接続する際に用いられるボルト（図示省略）を挿通するための貫通孔３１が形成されている。
【００２３】
図１ないし図４において、締め付け手段２３は、上記バッテリーポスト（図示省略）への取り付けを行うために設けられている。すなわち、締め付け手段２３は、締め付け部２５、２５を互いに近づける方向に移動させて、バッテリーポスト挿入穴２７の径を縮径させるために設けられている。このような締め付け手段２３は、ボルト３２とナット３３と上ブラケット３４と下ブラケット３５を備えて構成されている。
【００２４】
ボルト３２及びナット３３は、上ブラケット３４及び下ブラケット３５を互いに近づける方向、すなわち本明細書においては上下方向に移動させるために設けられている。ボルト３２は、その頭部が下ブラケット３５側に配置されている。また、ナット３３は、上ブラケット３４側に配置されている。
【００２５】
上ブラケット３４は、締め付け部２５、２５の上方から取り付けられるブラケットであって、天井板部３６と四つの締め付け脚片３７とを有している。天井板部３６は、平面視略長方形の板状に形成されている。天井板部３６の中央には、ボルト３２のネジ部先端側を挿通することが可能な貫通孔３８が形成されている。
【００２６】
締め付け脚片３７は、天井板部３６の四隅にそれぞれ連成されている。また、締め付け脚片３７は、天井板部３６から下方に突出するように形成されている。締め付け脚片３７は、図示のように比較的長く形成されている。このような締め付け脚片３７には、テーパ３９とストレート部４０とが連続して形成されている。
【００２７】
テーパ３９は、締め付け脚片３７の基端側に形成されている。また、テーパ３９は、対応する締め付け部２５の上端（上記長辺）４１に接触してこれを摺接するような形状に形成されている（特に限定するものではないが、テーパ３９の傾斜角度は、下ブラケット３５の後述するテーパ４５の傾斜角度よりもきつく傾斜するように形成されている（図４参照））。ストレート部４０は、上記上下方向に沿って形成されている。すなわち、ストレート部４０は、対応する締め付け部２５に対して平行に形成されている。ストレート部４０は、対応する締め付け部２５との間に極力隙間が生じない（但し作業性が悪くならない程度とする）ような状態に配置されている。
【００２８】
下ブラケット３５は、締め付け部２５、２５の下方から取り付けられるブラケットであって、底板部４２と四つの締め付け脚片４３と一対のボルト回り止め部４４とを有している。底板部４２は、平面視略長方形の板状に形成されている。底板部４２の中央には、ボルト３２が取り付けられている。
【００２９】
締め付け脚片４３は、底板部４２の四隅にそれぞれ連成されている。また、締め付け脚片４３は、底板部４２から上方に突出するように形成されている。締め付け脚片４３は、図示のように上ブラケット３４の締め付け脚片３７の内側に差し込まれるように配置形成されている。このような締め付け脚片４３には、テーパ４５とストレート部４６とが連続して形成されている。
【００３０】
テーパ４５は、締め付け脚片４３の基端側に形成されている。また、テーパ４５は、対応する締め付け部２５の下端（上記長辺）４７に接触してこれを摺接するような形状に形成されている。ストレート部４６は、上記上下方向に沿って形成されている。すなわち、ストレート部４６は、対応する締め付け部２５に対して平行に形成されている。ストレート部４６は、対応する締め付け部２５との間に極力隙間が生じない（但し作業性が悪くならない程度とする）ような状態に配置されている。
【００３１】
一対のボルト回り止め部４４は、底板部４２に連成されいる。また、ボルト回り止め部４４は、締め付け脚片４３の間に配置形成されている。ボルト回り止め部４４とテーパ４５との間には、平らな面４８が形成されている。尚、特に限定するものではないが、テーパ４５を摺接した締め付け部２５の下端４７が平らな面４８に当接するように設定してもよいものとする。
【００３２】
上記構成において、本発明のバッテリーターミナル２１は、上記バッテリーポスト（図示省略）に対して次のように取り付け固定されるようになっている。以下、その作業について説明する。
【００３３】
先ず、本発明のバッテリーターミナル２１を下方に移動させてバッテリーポスト挿入穴２７をバッテリーポストの周側面に接触させる。次に、バッテリーターミナル本体２２の向きを所定方向に合わせて配置する。続いて、バッテリーターミナル本体２２の上方からインパクトレンチ等の図示しない工具を用いてナット３３を締め付け、締め付け手段２３の操作を開始する。
【００３４】
締め付け手段２３の操作において、ナット３３を締め付けると、ボルト３２及びナット３３の螺合状態が進行する。そして、ボルト３２及びナット３３の螺合状態がさらに進行すると、そのボルト３２及びナット３３によって上ブラケット３４及び下ブラケット３５が互いに近づく方向に移動する。尚、この時、上ブラケット３４及び下ブラケット３５のガタツキは生じない。
【００３５】
上ブラケット３４及び下ブラケット３５が互いに近づく方向に移動すると、上ブラケット３４の各テーパ３９が対応する締め付け部２５の上端４１に接触して摺接するとともに、下ブラケット３５の各テーパ４５が対応する締め付け部２５の下端４７に接触して摺接する。これにより、上下方向の締め付け力が左右方向の締め付け力に変換され、締め付け部２５、２５が互いに近づく方向に移動する。締め付け部２５、２５は、その上端４１及び下端４７が共に近づく方向に移動する。
【００３６】
締め付け部２５、２５が互いに近づく方向に移動すると、バッテリーターミナル本体２２の形状が上述の説明からも分かるように簡素化されていることから、バッテリーポスト挿入穴２７の径が容易に縮径方向に縮み、その結果、バッテリーポスト挿入穴２７がバッテリーポストの周側面に対して圧接状態となる。これにより、本発明のバッテリーターミナル２１の取り付けが完了する。
【００３７】
以上、図１ないし図５を参照しながら説明してきたように、本発明のバッテリーターミナル２１は、上ブラケット３４及び下ブラケット３５の取り付け及び移動をガタツキなく行うことができるようになっている。また、本発明のバッテリーターミナル２１は、上ブラケット３４及び下ブラケット３５を有する締め付け手段２３を用いることから、バッテリーターミナル本体２２の形状を簡素化してその製造性を従来よりもよくすることができるようになっている。さらに、本発明のバッテリーターミナル２１は、バッテリーポストへの確実な取り付けを実現することができるようになっている。
【００３８】
その他、本発明は本発明の主旨を変えない範囲で種々変更実施可能なことは勿論である。
【図面の簡単な説明】
【００３９】
【図１】本発明のバッテリーターミナルの一実施の形態を示す斜視図である。
【図２】図１のバッテリーターミナルの分解斜視図である。
【図３】図１のバッテリーターミナルの側面図である。
【図４】図１の締め付け手段の正面図である。
【図５】バッテリーターミナル本体の他の例を示す斜視図である。
【図６】従来例のバッテリーターミナルの斜視図である。
【図７】図６の締め付け手段の分解斜視図である。
【符号の説明】
【００４０】
２１  バッテリーターミナル
２２  バッテリーターミナル本体
２３  締め付け手段
２４  環状部
２５  締め付け部
２６  電線接続部
２７  バッテリーポスト挿入穴
２８  ストッパ
２９  上接合板
３０  下接合板
３１  貫通孔
３２  ボルト
３３  ナット
３４  上ブラケット
３５  下ブラケット
３６  天井板部
３７  締め付け脚片
３８  貫通孔
３９  テーパ
４０  ストレート部
４１  上端
４２  底板部
４３  締め付け脚片
４４  ボルト回り止め部
４５  テーパ
４６  ストレート部
４７  下端
４８  平らな面
【図１】
2005302505.tif 000003
【図２】
2005302505.tif 000004
【図３】
2005302505.tif 000005
【図４】
2005302505.tif 000006
【図５】
2005302505.tif 000007
【図６】
2005302505.tif 000008
【図７】
2005302505.tif 000009